(57)【要約】      （修正有）【課題】一冊のサンプル帳で壁装材、床材等の異なる品種をコーディネートしながら選択できる内装材用のサンプル帳を提供する。【解決手段】サンプル帳１の上段には２種以上の天井材の現物サンプル４を、下段には２種以上の床材の現物サンプル７を、中段には天井材及び床材とコーディネートする壁装材の現物サンプルと掲載した現物サンプル等のうちから選択された一種で施工した室内の写真が掲載されている。【選択図】図１
2005316315.tif 000002
【特許請求の範囲】
【請求項１】
見開き構造を有するサンプル帳であって、上段には２種以上の天井材の現物サンプル、及び/または現物サンプルの実物大写真を、下段には２種以上の床材の中段には現物サンプル、及び/または現物サンプルの実物大写真を掲載した台紙と、前記台紙の中段部分に前記天井材、及び床材とコーディネートする壁装材の現物サンプル、及び/または現物サンプルの実物大写真を掲載した前記中段部分に載置可能な大きさの２以上の台紙から構成され、かつ、前記天井材、及び床材の現物サンプル、及び/または現物サンプルの実物大写真を掲載した台紙の中段には、当該台紙に掲載された天井材、及び床材の現物サンプル、及び/または現物サンプルの実物大写真のうちから選択された一種の天井材、及び床材、並びに前記台紙に掲載された壁装材の現物サンプル、及び/または現物サンプルの実物大写真のうちから選択された一種の壁装材を施工した室内の写真が掲載されていることを特徴とする内装材用サンプル帳。
【請求項２】
一方の見開き部分は汎用品の天井材、床材の現物サンプル、及び/または現物サンプルの実物大写真を掲載した台紙、並びに汎用品の壁装材を掲載した台紙を集合させるように配列することにより汎用品商品群を、他方の見開き部分は高級品の天井材、床材の現物サンプル、及び/または現物サンプルの実物大写真を掲載した台紙、並びに汎用品の壁材を掲載した台紙を集合させるように配列することにより高級品商品群を構成し、前記汎用品商品群、及び高級品商品群の間をサンプル帳の中に掲載された商品の価格一覧表で仕切られたことを特徴とする請求項１記載の内装材用サンプル帳。
【請求項３】
一方の見開き部分から順に価格の順に配列されたことを特徴とする請求項２記載の内装材用サンプル帳。
【発明の詳細な説明】
【技術分野】
【０００１】
本発明は、見開き構造を有するサンプル帳であって、１冊のサンプル帳で容易に天井材、壁装材、床材の種類、色等がコーディネートでき、当該コーディネートした天井材、壁装材、床材を使用した部屋の一例のイメージ写真を同時見ることができるため、素人でもきわめて迅速に天井材、壁装材、床材の種類、色等を決定することができる内装材用サンプル帳に関する。
【背景技術】
【０００２】
従来、天井材、床材、壁装材等のインテリア商品のサンプル帳では色、柄等の意匠が重要であるため、天井材、床材、壁装材等のインテリア商品の各々のサンプル帳を別途作成し商品を数ｃｍから十数ｃｍにカットした商品見本を貼付したものを見ながら、需要者は商品を決定していた。また、前記インテリア商品の実際の施工のときのイメージはサンプル帳に掲載された商品、例えば、床材のみの施工写真を掲載する程度であった。
【０００３】
しかしながらインテリア商品はトータルインテリアという言葉にも示されるように、天井材、床材、壁装材の組合せで選択されることが多いにもかかわらず、インテリア商品のサンプル帳が各商品ごとに別れていたため、これらサンプル帳からコーディネートすることは困難であった。とりわけ、意匠の専門家でない需要者が天井材、壁装材、床材を各々のサンプル帳からコーディネートすることは非常な労力と時間を要している一方で、販売者も必ずしも意匠の専門家ではないため、需要者に適切な提案をすることが困難であった。したがって、需要者、及び販売者ともに、天井材、床材、壁装材を決定するまで多大な労力と時間を費やし、販売者の業務効率の面でも需要者の適切な天井材、壁装材、床材の選択という面でも大きな問題があった。
【０００４】
そこで、インテリアスタイルを各種のスタイル、及び色彩等により２つの要素に分離し、部屋を機能別に分けて前記２要素を相互に組み合わせてインテリア設計用に必要な床材等の価格帯のことなる見本を貼着した内装材設計用見本帳が開示されている。
【特許文献１】実開昭５５−８２６７５号公報
【発明の開示】
【発明が解決しようとする課題】
【０００５】
しかしながら、前記考案では確かに異なった種類の内装材が一度に見ることができるものの、掲載できるサンプルは限られたものとなってしまう。また、天井材、壁装材、床材のサンプルを近接させて見ることができず、天井材、壁装材、床材をコーディネートすることは困難であった。
【０００６】
サンプル帳に各商品を縮小した写真を掲載した場合、どの程度の縮尺で掲載されているかわからないため、実際の床材等の意匠を把握することが困難なことが多かった。また、異種の商品、例えば、上述した床材と巾木とを選択する場合には、床材のサンプル帳と巾木のサンプル帳とをつき合わせたり、一冊のサンプル帳に床材と巾木が掲載されている場合では上述したように商品種ごとに掲載頁が区分されているため、床材の掲載頁と巾木の掲載頁とを交互に開くこと等により、床材と巾木の組合せが適切かどうかを判断しなければならず、サンプル帳自体非常に扱いにくいという問題があった。
【課題を解決するための手段】
【０００７】
そこで、本発明は上記問題点を解決したものであり、請求項１記載の発明は見開き構造を有するサンプル帳であって、上段には２種以上の天井材の現物サンプル、及び/または現物サンプルの実物大写真を、下段には２種以上の床材の中段には現物サンプル、及び/または現物サンプルの実物大写真を掲載した台紙と、前記台紙の中段部分に前記天井材、及び床材とコーディネートする壁装材の現物サンプル、及び/または現物サンプルの実物大写真を掲載した前記中段部分の大きさの２以上の台紙から構成され、かつ、前記天井材、及び床材の現物サンプル、及び/または現物サンプルの実物大写真を掲載した台紙の中段には、当該台紙に掲載された天井材、及び床材の現物サンプル、及び/または現物サンプルの実物大写真のうちから選択された一種の天井材、及び床材、並びに前記台紙に掲載された壁装材の現物サンプル、及び/または現物サンプルの実物大写真のうちから選択された一種の壁装材を施工した室内の写真が掲載されていることを特徴とする内装材用サンプル帳を提供するものである。尚、本明細書中の「壁装材」とは壁紙の他、壁面に施工する塗料を塗布した不織布、及びカーテンを含むものとする。
【０００８】
また、請求項２記載の発明は請求項１の特徴に加え、一方の見開き部分は汎用品の天井材、床材の現物サンプル、及び/または現物サンプルの実物大写真を掲載した台紙、並びに汎用品の壁装材を掲載した台紙を集合させるように配列することにより汎用品商品群を、他方の見開き部分は高級品の天井材、床材の現物サンプル、及び/または現物サンプルの実物大写真を掲載した台紙、並びに汎用品の壁材を掲載した台紙を集合させるように配列することにより高級品商品群を構成し、前記汎用品商品群、及び高級品商品群の間をサンプル帳の中に掲載された商品の価格一覧表で仕切られたことを特徴とする内装材用サンプル帳を提供するものである。
【０００９】
さらに請求項３記載の発明は請求項２の特徴に加え、一方の見開き部分から順に価格の順に配列されたことを特徴とする内装材用サンプル帳を提供するものである。
【発明の効果】
【００１０】
本発明サンプル帳により、天井材、壁装材、床材の現物サンプル等が同時にかつ容易に見ることができる上、前記天井材等の組み合わせは意匠関係の専門家が選択したものであるため、需要者は前記天井材等を自己の好みにコーディネートしながら、迅速かつ容易に天井材等の内装材を選択することができ、一方、販売者も適切な天井材等内装材商品の組み合わせを需要者に提案しやすくなる。
【００１１】
また、本発明サンプル帳には掲載されている頁の現物サンプル等から選択された一種類の天井材、及び床材、及び台紙２に掲載されている壁装材のサンプルから選択された一種類の壁装材を実際の居室等に用いた場合の写真が掲載されていることから、需要者は容易に本発明サンプル帳に掲載されている現物サンプル等を使用した場合の居室等のイメージを描くことができ、より容易かつ迅速に自らコーディネートしながら天井材、壁装材、及び床材の選択を行うことができる。
【００１２】
さらに、本発明サンプル帳は一方の見開きからは高級品、他方の見開きからは汎用品の現物サンプル等が収められているため、需要者の価格ニーズに合わせた商品選択、又は商品提案が非常に容易に行うことができる。また、当該構成を採った場合に高級品と汎用品とを、各々の価格表で仕切ることにより、掲載されている商品の価格を容易にしることができ、サンプル帳内での高級品の商品の掲載頁、及び汎用品の商品の掲載頁を容易に認識することができる。
【発明を実施するための最良の形態】
【００１３】
以下、本発明について図面を参照しつつ詳述する。図１に本発明サンプル帳の見開いた状態の一例の平面図を示す。また、図２に本発明サンプル帳の壁装材を掲載した台紙を見開いて向かって左側の頁に捲り、前記頁に掲載されている天井材、及び床材の現物サンプル等とつき合わせた状態を示す一例の平面図を示す。図１、及び２において、本発明サンプル帳１、１１の見開き部分は左右各々に２種類以上の天井材、壁装材、及び床材の現物サンプル、及び/または現物サンプルの実物大写真（以下、現物サンプル等と記す。）からコーディネートに最も適した組み合わせをデザイナーやインテリアコーディネーター等の意匠関係の専門家が選択したものが台紙に掲載することにより構成されている。したがって、需要者はより、容易かつ迅速に天井材等の内装材の自己の好みのコーディネートをすることができ、販売者もまた天井材等内装材商品の組み合わせを需要者に提案しやすくなる。図１において、上述したように意匠関係の専門家が天井材４´、及び床材７´に適合するもののみを選択した壁装材が台紙３に掲載されており、当該壁装材を掲載した台紙は２種以上設けられており、壁装材もまた、複数種の中から選択可能な構成となっている。
【００１４】
また、台紙２、２´は上段部、中段部、及び下段部の３つの部位から構成されており、上段部には天井材４、４´、下段部には床材７、７´、台紙２、２´の中段部には各々前記天井材４、４´及び床材７、７´のうちの選択された一種類のものを実際に部屋に施工した場合のイメージ写真が掲載されている。図１においては、当該イメージ写真は５に該当する。
【００１５】
図１に示すように、壁装材を掲載した台紙３には壁装材の現物サンプル等が略台紙３の表面全体に掲載されている。当該壁装材の現物サンプル等は上述したように台紙２に掲載されている天井材４、及び床材７と意匠的に適合するものとして意匠の専門家が厳選したものであり、需要者が天井材、壁装材、及び床材につき、複数枚の台紙に掲載された壁装材の現物サンプル等を順次捲って、図２に示すように、天井材４、及び床材７とつき合わせて見ることができるため、所望のコーディネートが容易かつ迅速にすることができる。さらに、台紙２の中段部には上述したように図１に示す本発明サンプル帳の平面図の向かって左頁に掲載されている現物サンプル等の一を実際の居室等に用いた場合の写真が掲載されている。よって、需要者は容易に本発明サンプル帳に掲載されている現物サンプル等を使用した場合の居室等のイメージを描くことができ、より容易かつ迅速に自らコーディネートしながら天井材、壁装材、及び床材の選択を行うことができる。
【００１６】
また、図１、２で示されるように、台紙３には壁装材の現物サンプル等６、及び１５が台紙３、１３´の表裏両面に壁装材の現物サンプル等が掲載されており、見開き頁の左右いずれに掲載された天井材等の現物サンプル等と壁装材の現物サンプル等をつき合わせて見ることができるようになっている。
【００１７】
本発明サンプル帳は一方の見開き方向からは高価な天井材、壁装材、床材といった高級品のみを集めてあり、もう一方の見開き方向からは前記高級品以外の比較的廉価な天井材、壁装材、床材といった汎用品が集められている。サンプル帳をかかる構成にすることにより、天井材、壁装材、床材といった内装材商品は需要者によって、求める商品の価格帯が大きく異なっている。即ち、いわゆる高級品を求める需要者もいれば、廉価な汎用品を求める需要者もあり様々である。本発明サンプル帳によれば、高級品と汎用品とに分かれているため、需要者も商品を選択しやすく、販売者の方も需要者に対し、商品を提案しやすいという効果がある。図４は本発明サンプル帳の双方の平表紙を開き、前記平表紙、及び背表紙の一例の平面図を示ものであるが、表紙に図示したような「高級品」、及び「汎用品」と記載することにより、容易に本発明サンプル帳の高級品、及び汎用品を分離した効果、即ち、商品選択の容易かつ迅速化という効果をより顕著に奏することができる。
【００１８】
さらに、本発明サンプル帳に掲載されている商品の価格は高級品と汎用品を隔てる台紙に一覧表として掲載されている。図３は本発明サンプル帳に掲載されている高級品の天井材等内装材群と汎用品の天井材等内装材群とを分ける価格一覧表を見開いた状態の一例の平面図を示す。当該価格一覧表を掲載した台紙２２、２２´により、需要者、又は販売者は本発明サンプル帳のうちどこまでが高級品商品群の頁か、又は汎用品商品群の頁かを認識できるとともに、前記台紙２２、２２´に掲載された価格一覧表により、価格を容易、かつ迅速に把握することができる。即ち、価格面から、より容易かつ迅速に需要者は商品の選択を、販売者は商品の選択、及び提案をすることができる。
（実施例１）
【００１９】
図１において、台紙２に専門のデザイナーが選択した互いに意匠の異なる天井材の現物サンプルを１頁につき５種類、サンプル帳の見開き頁の上段部に貼着することにより掲載した。また、下段部には同様に専門のデザイナーが選択した互いに意匠の異なる木床の床材の現物サンプルを１頁につき５種類を掲載した。さらに、台紙３には表裏に各々左右の頁に掲載された天井材、床材に専門のデザイナーが選択した意匠上適切な壁紙の現物サンプルを掲載した。当該台紙３は片面５種類の意匠の異なる壁紙を掲載し、枚数は５枚設けられている。台紙３を順次捲り、台紙２の中段部に配置させることにより、上段部の前記天井材の現物サンプルと下段部の前記床材の現物サンプルと合わせて見ることができるようになっている。台紙２の枚数は、１５枚、台紙３の枚数は７０枚である。掲載サンプル数は天井材、壁装材、床材のいずれもが７０種類である。さらに、台紙２の中段部には上段部の現物サンプルから選ばれた一の天井材と、下段部の現物サンプルから選ばれた一の床材と、台紙３の現物サンプルから選ばれた一の壁紙とを居間に施工したときの写真が掲載し、本発明サンプル帳を得た。前記写真を参考にしながら、台紙３を順次捲っていくことにより、台紙２に掲載されている天井材、及び床材、並びに壁紙をコーディネートしながら選択した。１０人の被験者に約４０ｍ２の居間の天井材、壁紙、床材のリフォームを想定して、前記天井材等の内装材を選択してもらい、選択までの時間を測定した。さらに、前記選択した天井材等内装材を施工したときの前記居間のコンピューターによる合成写真を作り、商品選択した者以外の２０人から、天井材等内装材の全体的な意匠性の好感度を調査した。
（実施例２）
【００２０】
サンプル帳の一方の見開き部分からは高級な天井材、壁紙、床材を掲載することにより高級品商品群を構成し、他方の見開き部分からは汎用的な天井材、壁紙、床材を掲載することにより汎用品商品群を構成し、前記高級品商品群と汎用品商品群とを仕切る台紙にサンプル帳中に掲載された天井材、壁装材、床材の商品の価格一覧表が掲載されていること以外は「実施例１」と同様に構成し、本発明サンプル帳を得た。「実施例１」と同様に天井材等商品の選択を行った。１０人の被験者に約４０ｍ２の居間の天井材、壁紙、床材のリフォームを想定して、前記天井材等の内装材を選択してもらい、選択までの時間を測定した。但し、一定額の予算内で行うことを条件とした。「実施例１」と同様、前記選択した天井材等内装材を施工したときの前記居間のコンピューターによる合成写真を作り、商品選択した者以外の２０人から、天井材等内装材の全体的な意匠性の好感度を調査した。
（実施例３）
【００２１】
本発明サンプル帳の下段部に掲載された床材がサンプルの実物大写真であることを除いて、「実施例１」と同様にサンプル帳を構成し本発明サンプル帳を得た。さらに、「実施例１」と同様に天井材等商品の選択を行った。１０人の被験者に約４０ｍ２の居間の天井材、壁紙、床材のリフォームを想定して、前記天井材等の内装材を選択してもらい、選択までの時間を測定した。さらに、前記選択した天井材等内装材を施工したときの前記居間のコンピューターによる合成写真を作り、商品選択した者以外の２０人から、天井材等内装材の全体的な意匠性の好感度を調査した。
（実施例４）
【００２２】
本発明サンプル帳の上段部に掲載された天井材がサンプルの実物大写真であることを除いて、「実施例２」と同様にサンプル帳を構成し、本発明サンプル帳を得た。さらに、「実施例１」と同様に天井材等商品の選択を行った。１０人の被験者に約４０ｍ２の居間の天井材、壁紙、床材のリフォームを想定して、前記天井材等の内装材を選択してもらい、選択までの時間を測定した。但し、一定額の予算内で行うことを条件とした。さらに、前記選択した天井材等内装材を施工したときの前記居間のコンピューターによる合成写真を作り、商品選択した者以外の２０人から、天井材等内装材の全体的な意匠性の好感度を調査した。
（実施例５）
【００２３】
掲載する天井材等の商品群が表紙に近い部分から中ほどに向かって相対的に価格の高い商品群になるように配列した以外は上記「実施例２」と同様にサンプル帳を構成し、本発明サンプル帳を得た。「実施例１」と同様に天井材等商品の選択を行った。１０人の被験者に約４０ｍ２の居間の天井材、壁紙、床材のリフォームを想定して、前記天井材等の内装材を選択してもらい、選択までの時間を測定した。但し、一定額の予算内で行うことを条件とした。さらに、前記選択した天井材等内装材を施工したときの前記居間のコンピューターによる合成写真を作り、商品選択した者以外の２０人から、天井材等内装材の全体的な意匠性の好感度を調査した。
（比較例１）
【００２４】
従来の品種別サンプル帳、即ち、天井材・壁装材用サンプル帳、及び床材用サンプル帳により、１０人の被験者に約４０ｍ２の居間の天井材、壁紙、床材のリフォームを想定して、前記天井材等の内装材を選択してもらい、選択までの時間を測定した。さらに、前記選択した天井材等内装材を施工したときの前記居間コンピューターによる合成写真を作り、商品選択した者以外の２０人から、天井材等内装材の全体的な意匠性の好感度を調査した。
（比較例２）
【００２５】
従来の品種別サンプル帳により、即ち、天井材・壁装材用サンプル帳、及び床材用サンプル帳により、１０人の被験者に約４０ｍ２の居間の天井材、壁紙、床材のリフォームを想定して、前記天井材等の内装材を選択してもらい、選択までの時間を測定した。但し、一定額の予算内で行うことを条件とした。さらに、前記選択した天井材等内装材を施工したときの前記居間のコンピューターによる合成写真を作り、商品選択した者以外の２０人から、天井材等内装材の全体的な意匠性の好感度を調査した。
上記、実施例１〜５、及び比較例１、２の試験結果は「表１」の通りである。
【００２６】
【表１】
2005316315.tif 000003
【００２７】
「実施例１」、及び「実施例３」に記載の本発明サンプル帳により、天井材、壁紙、床材のコーディネートしながら前記天井材等の商品の選択を容易かつ迅速にすることができた。
また、上記「実施例２」、及び「実施例４」に記載の本発明サンプル帳により、天井材、壁紙、床材のコーディネートしながら前記天井材等の商品の選択が可能になったことに加え、価格帯による選択も迅速に行えることができた。
さらに、「表１」から明らかなように、コーディネートした天井材、壁紙、及び床材の全体の意匠性の好感度は本発明サンプル帳を用いた場合には従来のサンプル帳と用いた場合と比較して、２倍以上も「非常によい」、又は「よい」となっており、よりよい天井材等との組み合わせが可能であることを示している。
【図面の簡単な説明】
【００２８】
【図１】本発明サンプル帳の見開いた状態の一例の平面図を示す。
【図２】本発明サンプル帳の壁装材を掲載した台紙を見開いて向かって左側の頁に捲り、前記頁に掲載されている天井材、及び床材の現物サンプル等とつき合わせた状態を示す一例の平面図を示す。
【図３】本発明サンプル帳に掲載されている高級品の天井材等内装材群と汎用品の天井材等内装材群とを分ける価格一覧表を見開いた状態の一例の平面図を示す。
【図４】本発明サンプル帳の双方の平表紙を開き、前記平表紙、及び背表紙の一例の平面図を示す。
【符号の説明】
【００２９】
１、１１                本発明サンプル帳
２、１２、１２´        天井材、及び床材用台紙
３、１３´              壁装材用台紙
４、４´、１４、１４´  天井材の現物サンプル等
５      天井材、及び床材用台紙に掲載された天井材L1からL5の現物サンプル等、及び床材F１からF5の現物サンプル等の中から選択された各々の一種の天井材、及び床材と、壁装材用台紙に掲載された、壁装材W1等複数の壁装材の現物サンプル等の中から選択された一種の壁装材を居室に施工したときのイメージ写真
６      天井材L6からL10の現物サンプル等、及びの床材F６からF１０の現物サンプル等とコーディネートするための壁装材の現物サンプル等を掲載した台紙
７、７´、１７、１７´  床材の現物サンプル等 
１５    天井材L１からL５の現物サンプル等、及びの床材F１からF5の現物サンプル等とコーディネートするための壁装材の現物サンプル等
１６´  天井材L６からL１０の現物サンプル等、及びの床材F６からF１０の現物サンプル等とコーディネートするための壁装材の現物サンプル等を掲載した台紙
２４、２４´価格表を掲載した台紙
３２、３３  平表紙
３４        背表紙
Ｓ、Ｓ´、Ｓ´´    台紙の留め金
Ｗ１、Ｗ１´Ｗ２´  壁装材の現物サンプル等
【図１】
2005316315.tif 000004
【図２】
2005316315.tif 000005
【図３】
2005316315.tif 000006
【図４】
2005316315.tif 000007